(57)【要約】【課題】リクローズ機能を有する紙容器およびその製造方法を、安価に提供することを課題とする。【解決手段】開口部およびそれを開閉する蓋部を有する紙容器であって、開口部周辺と蓋部が接する面のいずれかの面に、感熱粘着剤層を設けてあり、開口部およびそれを開閉する蓋部を有する紙容器であって、開口部周辺と蓋部が接する面のいずれかの面に、感熱粘着剤層を設けてあり、感熱粘着剤層が加熱によって粘着性を発現するものであることを特徴とする紙容器であり、感熱粘着剤層への加熱は、オーバーラップシュリンクもしくはフィルム包装のシールと同時に行なうことを特徴とする紙容器の製造方法である。【選択図】図１
2017052546.tif 000002
【特許請求の範囲】
【請求項１】
開口部およびそれを開閉する蓋部を有する紙容器であって、
開口部または蓋部のいずれかの、開口部周辺と蓋部が接する面に感熱粘着剤層が設けてあり、
感熱粘着剤層が加熱によって粘着性を発現するものであることを特徴とする紙容器。
【請求項２】
前記開口部周辺に、前記感熱粘着剤層を設けてあることを特徴とする請求項１に記載の紙容器。
【請求項３】
請求項１または請求項２に記載の紙容器を製造する方法であって、
前記感熱粘着剤層は、グラビア印刷方式もしくはフレキソ印刷方式によって塗布して設けることを特徴とする紙容器の製造方法。
【請求項４】
請求項１または請求項２に記載の紙容器を製造する方法であって、
前記感熱粘着剤層を、紙容器の印刷と同時にインラインでパターンコートすることを特徴とする紙容器の製造方法。
【請求項５】
請求項１または請求項２に記載の紙容器を製造する方法であって、
前記感熱粘着剤層への加熱は、オーバーラップシュリンクもしくはフィルム包装のシールと同時に行なうことを特徴とする紙容器の製造方法。
【請求項６】
請求項１または請求項２に記載の紙容器を製造する方法であって、
前記感熱粘着剤層への加熱は、紙容器の立体成型後に加熱を行なうことを特徴とする紙容器の製造方法。
【発明の詳細な説明】
【技術分野】
【０００１】
本発明は、紙容器に関するものである。とくに粘着性を有する開口部周辺と蓋部の構造によって、何度も開閉できるリクローズ機能を有する紙容器に関するものである。
【背景技術】
【０００２】
紙容器は、材料が安価であることに加えて、その利便性や環境適合性などによって、最も多く使われている包装容器のひとつであるといってよい。たとえば菓子類やタバコ、薬品や日用品においても、包装容器として紙容器が用いられることが多い。
【０００３】
しかしながら紙容器によっては何度も開閉を繰り返す用途があり、リクローズ機能が必要とされている。紙容器の場合には、紙の構造的係合によるものが多く破れ易い傾向にあり、また係合が複雑で面倒になる恐れもあった。
【０００４】
開口部に粘着剤を配してリクローズ機能を付与しようとする取り組みもなされてきたが、容器の製造、成型において、粘着材が不必要なところに付着したりして、加工に困難が生じる恐れがあり、それを防ぐために剥離紙など余分な資材が必要になる場合もあって、実用的ではない。
【０００５】
あるいは、リクローズのための部剤を取り付けることも可能性としては考えられるが、部材が増えれば、コストや環境負荷の面からは歓迎されるものではない。
【０００６】
特許文献には、加熱によって粘着性が生じる熱可塑性粘着剤層を包装容器外側に形成することが提案されているが、主に荷崩れの防止などを目的としたもので、リクローズ機能に関する問題の解決には繋がらないものであった。
【先行技術文献】
【特許文献】
【０００７】
【特許文献１】特開平１−２５４５９号公報
【発明の概要】
【発明が解決しようとする課題】
【０００８】
本発明はかかる状況に鑑みてなされたものであり、リクローズ機能を有する紙容器およびその製造方法を、安価に提供することを課題とする。
【課題を解決するための手段】
【０００９】
上記の課題を解決するための手段として、請求項１に記載の発明は、開口部およびそれを開閉する蓋部を有する紙容器であって、開口部または蓋部のいずれかの、開口部周辺と蓋部が接する面に感熱粘着剤層が設けてあり、感熱粘着剤層が加熱によって粘着性を発現するものであることを特徴とする紙容器である。
【００１０】
また、請求項２に記載の発明は、前記開口部周辺に前記感熱粘着剤層が設けてあることを特徴とする請求項１に記載の紙容器である。
【００１１】
また、請求項３に記載の発明は、請求項１または請求項２に記載の紙容器を製造する方法であって、前記感熱粘着剤層は、グラビア印刷方式もしくはフレキソ印刷方式によって塗布して設けることを特徴とする紙容器の製造方法である。
【００１２】
また、請求項４に記載の発明は、請求項１または請求項２に記載の紙容器を製造する方法であって、前記感熱粘着剤層を、紙容器の印刷と同時にインラインでパターンコートすることを特徴とする紙容器の製造方法である。
【００１３】
また、請求項５に記載の発明は、請求項１または請求項２に記載の紙容器を製造する方法であって、前記感熱粘着剤層への加熱は、オーバーラップシュリンクもしくはフィルム包装のシールと同時に行なうことを特徴とする紙容器の製造方法である。
【００１４】
また、請求項６に記載の発明は、請求項１または請求項２に記載の紙容器を製造する方法であって、前記感熱粘着剤層への加熱は、紙容器の立体成型後に加熱を行なうことを特徴とする紙容器の製造方法である。
【発明の効果】
【００１５】
本発明によれば、リクローズ機能を有する紙容器およびその製造方法を、安価に提供することが可能である。
【図面の簡単な説明】
【００１６】
【図１】図１は本発明に係る紙容器の一実施形態例を説明するための斜視模式図である。
【発明を実施するための形態】
【００１７】
以下本発明を実施するための形態について、図を参照しながら詳細な説明を加える。ただし、本発明はここに示した例にのみ限定されるものではない。
【００１８】
図１は本発明に係る紙容器の一実施形態例を説明するための斜視模式図である。この実施形態例では紙容器（１０）は本体（２）に連続した蓋部（１）を有する。本体（２）には内箱（６）が内挿されており、開口部（３）を形成している。内容物は、開口部から取り出すことができる。
【００１９】
蓋部（２）を上下に動かすことによって、開口部（３）の開閉が可能である。開口部の周辺で、すぐ下の部分には感熱粘着剤層（５）が設けられているここで用いる感熱粘着剤はディレイドタックとも呼ばれ、加熱によって粘着性が発現し、その後粘着力が持続するタイプのものを用いる。
【００２０】
感熱粘着層（５）を設ける位置は、開口部（３）周辺と蓋部（１）が接する面のいずれかの面に設ける。すなわち開口部（３）周辺でもよく、蓋部（１）の内側で開口部（３）周辺に接する部分でもかまわない。蓋部（１）を押し下げて紙容器（１０）の開口部（３）を閉じたときには蓋部（１）は感熱粘着層（５）によって固定される。
【００２１】
これによって紙の反発力で蓋部（１）が持ち上がったり、不必要なときに自動的に開口部（３）が開くことを防止することができる。感熱粘着層（５）の粘着力を適切な強度にしておくことによって、繰り返しの開閉に耐え、リクローズ機能を有する紙容器（１０）とすることができる。また粘着力の調節には、開閉において感熱粘着層に接触する部分にニス層を設けておくなどの方法も可能である。
【００２２】
また感熱粘着層を開口部周辺の適当な位置に設けてある場合には、内容物のくずなどが開口部から零れ落ちることを防止することが可能である。
【００２３】
次に本発明による紙容器の製造方法について説明を加える。
【００２４】
感熱粘着層に熱を加えて、粘着性を発現させるタイミングは、紙容器が成型され、内容物が充填された後、オーバーラップシュリンクもしくはフィルム包装のシールと同時に行なうことが好ましい。紙容器の成型前、あるいは成型工程中、内容物充填などにおいて、粘着力が発現することは、工程を円滑に進める上で不都合であり、最終工程のオーバーラップシュリンクもしくはフィルム包装のシールと同時に行なうことは、加熱も容易であり好都合である。あるいは、この加熱は、容器の立体成型後に行なってもよい。
【００２５】
また感熱粘着剤層は、グラビア印刷方式もしくはフレキソ印刷方式によって塗布して設けることができる。これらの印刷方式で塗布して乾燥した段階では感熱粘着剤層の粘着力は発現していないため、通常の印刷物と同様に扱うことができ、通常の粘着製品で必要とされる剥離紙など、コスト要因を省くことが可能である。とくにグラビア印刷方式やフレキソ印刷方式を用いる場合には塗布量の管理がしやすく、また高速で加工できるため、コストの面からも好ましい。
【００２６】
さらに感熱粘着剤層を、紙容器の印刷と同時にインラインでパターンコートすることが可能である。これによって工程の短縮が可能になり、コストの点からもより好ましい。
【００２７】
このように本発明によれば、リクローズ機能を有する紙容器およびその製造方法を、安価に提供することが可能である。
【産業上の利用可能性】
【００２８】
本発明による、リクローズ機能を有する紙容器およびその製造方法は様々な紙容器に適用が可能である。たとえばガム、キャラメル、キャンデー、粒状のチョコレート、あるいはタバコなどの紙容器に適用可能であり、中身がなくなるまで何度も開閉して使用することができる。
【符号の説明】
【００２９】
１・・・蓋部
２・・・本体
３・・・開口部
５・・・感熱粘着層
６・・・内箱
１０・・・紙容器
【図１】
2017052546.tif 000003